(57)【要約】【課題】  例えば映像信号等の情報信号に対して、例えば著作権保護情報等の独自情報を、より適切且つ効率的に多重化することを可能ならしめる。【解決手段】  情報多重装置（１００）は、（ｉ）独自情報（２０）を保持する情報信号を生成する生成手段（１０６）と、（ｉｉ）情報信号を、映像信号に含まれる第１周期（秒／フレーム、秒／フィールド）毎の輝度信号の平均値を示す直流成分値に重畳する重畳手段（１０８）と、（ｉｉｉ）情報信号を、直流成分値に、所定圧縮規格により定められている単独で再生可能な動画像を単位とした第２周期（ＧＯＰ）に基づいて、重畳させるように重畳手段を制御する制御手段（１０７）とを備える。【選択図】  図３
2006166098.tif 000002
【特許請求の範囲】
【請求項１】
静止画像を単位とした第１周期で入力される映像信号に独自情報を重畳する情報多重装置であって、
前記独自情報を保持する情報信号を生成する生成手段と、
前記生成された情報信号を、前記映像信号に含まれる前記第１周期毎の輝度信号の平均値を示す直流成分値に重畳する重畳手段と、
前記生成された情報信号を、前記直流成分値に、所定圧縮規格により定められている単独で再生可能な動画像を単位とした第２周期に基づいて、重畳させるように前記重畳手段を制御する制御手段とを備えることを特徴とする情報多重装置。
【請求項２】
静止画像を単位とした第１周期で入力される映像信号に独自情報を重畳する情報多重装置であって、
前記独自情報を保持する情報信号を生成する生成手段と、
前記生成された情報信号を、前記映像信号に含まれる前記第１周期毎の輝度信号の平均値を示す直流成分値に重畳する重畳手段と、
前記生成された情報信号を、前記直流成分値に、所定圧縮規格により定められている単独で再生可能な動画像に含まれる基準画像を少なくとも２つ含む第３周期に基づいて、重畳させるように前記重畳手段を制御する制御手段とを備えることを特徴とする情報多重装置。
【請求項３】
前記第２周期、又は前記第３周期においては、（ｉ）前記独自情報が重畳された有効信号周期と、（ｉｉ）前記独自情報が重畳されない遷移周期とが有り、
前記制御手段は、前記有効信号周期において、前記情報信号を前記直流成分値に重畳させるように前記重畳手段を制御することを特徴とする請求項１又は２に記載の情報多重装置。
【請求項４】
前記制御手段は、（ｉ）前記映像信号の伝送時間軸上において前記遷移周期の前に位置される一の有効信号周期における、前記情報信号が重畳された一の直流成分値と、（ｉｉ）前記遷移周期の後に位置される他の有効信号周期における、前記情報信号が重畳された他の直流成分値とが連続して遷移させるための緩衝信号を、前記情報信号として、前記遷移周期において重畳させるように前記重畳手段を制御することを特徴とする請求項３に記載の情報多重装置。
【請求項５】
前記制御手段は、前記映像信号が走査される画面内の、前記直流成分値の単位時間当たりの変化率が平均変化率より大きい変化領域において、前記緩衝信号を重畳させるように前記重畳手段を制御することを特徴とする請求項４に記載の情報多重装置。
【請求項６】
前記制御手段は、前記生成された情報信号を、前記直流成分値の増減に基づいて、前記第２周期、又は前記第３周期で、当該直流成分値に重畳させるように前記重畳手段を制御することを特徴とする請求項１又は２に記載の情報多重装置。
【請求項７】
前記生成手段は、前記独自情報として、２進数で表示可能な情報信号を生成し、
前記制御手段は、（ｉ）前記直流成分値が増加される場合、前記情報信号を構成する一のシンボルに対応して、所定量を前記直流成分値に加算させ、（ｉｉ）前記直流成分値が減少される場合、前記一のシンボルに対応して、所定量を前記直流成分値から減算させることを特徴とする請求項６に記載の情報多重装置。
【請求項８】
前記制御手段は、（ｉｉｉ）前記情報信号を構成する他のシンボルに対応して、前記情報信号を、前記直流成分値に重畳させないことを特徴とする請求項７に記載の情報多重装置。
【請求項９】
前記制御手段は、（ｉｖ）不連続に推移する直流成分値においては、前記一及び他のシンボルのうち一方から他方へ変化させる情報信号を、重畳させないように前記重畳手段を制御することを特徴とする請求項７又は８に記載の情報多重装置。
【請求項１０】
前記制御手段は、（ｉｖ）不連続に推移する直流成分値においては、前記一及び他のシンボルのうち一方から他方へ変化したことを示す所定規則に基づいて、前記情報信号を重畳させるように前記重畳手段を制御することを特徴とする請求項７又は８に記載の情報多重装置。
【請求項１１】
前記制御手段は、（ｖ）不連続に推移する直流成分値においては、前記情報信号を、延長された第２周期、又は第３周期で、重畳させるように前記重畳手段を制御することを特徴とする請求項６に記載の情報多重装置。
【請求項１２】
前記制御手段は、（ｖｉ）不連続に推移する直流成分値においては、前記不連続を緩衝するオフセット量を前記直流成分値に加算しつつ、前記情報信号を重畳させるように前記重畳手段を制御することを特徴とする請求項６に記載の情報多重装置。
【請求項１３】
請求項１に記載の情報多重装置により前記独自情報が多重化された前記映像信号から前記独自情報を抽出する情報抽出装置であって、
前記独自情報を保持する前記情報信号を検出する検出手段と、
前記独自情報を、前記検出された情報信号から、前記第２周期に基づいて抽出する抽出手段と
を備えることを特徴とする情報抽出装置。
【請求項１４】
請求項２に記載の情報多重装置により前記独自情報が多重化された前記映像信号から前記独自情報を抽出する情報抽出装置であって、
前記独自情報を保持する前記情報信号を検出する検出手段と、
前記独自情報を、前記検出された情報信号から、前記第３周期に基づいて抽出する抽出手段と
を備えることを特徴とする情報抽出装置。
【請求項１５】
前記映像信号に含まれる前記第１周期毎の輝度信号の平均値を示す直流成分値を測定する測定手段と、
前記直流成分値に一のオフセット値を加算することが可能な加算手段と
を更に備え、
前記検出手段は、更に、（ｉ）前記直流成分値が、不連続に推移する推移点を検出し、（ｉｉ）前記不連続を緩衝する前記一のオフセット値を前記直流成分値に加算させるように前記加算手段を制御しつつ前記情報信号を検出し、
前記抽出手段は、前記独自情報を、前記検出された情報信号から、前記第２周期、又は前記第３周期に基づいて抽出することを特徴とする請求項１３又は１４に記載の情報多重装置。
【請求項１６】
静止画像を単位とした第１周期で入力される映像信号に独自情報を重畳する情報多重装置における情報多重方法であって、
前記独自情報を保持する情報信号を生成する生成工程と、
前記生成された情報信号を、前記映像信号に含まれる前記第１周期毎の輝度信号の平均値を示す直流成分値に重畳する重畳工程と、
前記生成された情報信号を、前記直流成分値に、所定圧縮規格により定められている単独で再生可能な動画像を単位とした第２周期に基づいて、重畳させるように前記重畳工程を制御する制御工程とを備えることを特徴とする情報多重方法。
【請求項１７】
静止画像を単位とした第１周期で入力される映像信号に独自情報を重畳する情報多重装置における情報多重方法であって、
前記独自情報を保持する情報信号を生成する生成工程と、
前記生成された情報信号を、前記映像信号に含まれる前記第１周期毎の輝度信号の平均値を示す直流成分値に重畳する重畳工程と、
前記生成された情報信号を、前記直流成分値に、所定圧縮規格により定められている単独で再生可能な動画像に含まれる基準画像を少なくとも２つ含む第３周期に基づいて、重畳させるように前記重畳工程を制御する制御工程とを備えることを特徴とする情報多重方法。
【請求項１８】
請求項１に記載の情報多重装置により前記独自情報が多重化された前記映像信号から前記独自情報を抽出する情報抽出装置における情報抽出方法であって、
前記独自情報を保持する前記情報信号を検出する検出工程と、
前記独自情報を、前記検出された情報信号から、前記第２周期に基づいて抽出する抽出工程と
を備えることを特徴とする情報抽出方法。
【請求項１９】
請求項２に記載の情報多重装置により前記独自情報が多重化された前記映像信号から前記独自情報を抽出する情報抽出装置における情報抽出方法であって、
前記独自情報を保持する前記情報信号を検出する検出工程と、
前記独自情報を、前記検出された情報信号から、前記第３周期に基づいて抽出する抽出工程と
を備えることを特徴とする情報抽出方法。
【請求項２０】
請求項１に記載の情報多重装置に備えられたコンピュータを制御する多重制御用のコンピュータプログラムであって、該コンピュータを、前記生成手段、前記重畳手段、及び前記制御手段のうち少なくとも一部として機能させることを特徴とするコンピュータプログラム。
【請求項２１】
請求項２に記載の情報多重装置に備えられたコンピュータを制御する多重制御用のコンピュータプログラムであって、該コンピュータを、前記生成手段、前記重畳手段、及び前記制御手段のうち少なくとも一部として機能させることを特徴とするコンピュータプログラム。
【請求項２２】
請求項１３に記載の情報抽出装置に備えられたコンピュータを制御する抽出制御用のコンピュータプログラムであって、該コンピュータを、前記検出手段、及び前記抽出手段のうち少なくとも一部として機能させることを特徴とするコンピュータプログラム。
【請求項２３】
請求項１４に記載の情報抽出装置に備えられたコンピュータを制御する抽出制御用のコンピュータプログラムであって、該コンピュータを、前記検出手段、及び前記抽出手段のうち少なくとも一部として機能させることを特徴とするコンピュータプログラム。
【発明の詳細な説明】
【技術分野】
【０００１】
本発明は、例えば映像信号等の情報に、例えば著作権保護情報等の独自情報を多重化するための情報多重装置及び方法、該独自情報を抽出するための情報抽出装置及び方法、並びに、これら情報多重装置及び情報抽出装置において実行されるコンピュータプログラムの技術分野に属する。
【背景技術】
【０００２】
近年、デジタルメディアの普遍化、電子出版産業の急激且つ広範囲な成長、多様なマルチメディアコンテンツのデジタル化、及び、インターネット等のデジタル通信網の急速な発展等からも推測されるように、世の中は、アナログ時代からデジタル時代へと急速に転換している。また、これらによって、Ｅ−Ｂｏｏｋ、インターネットＴＶ、イメージ、ビデオ、ＭＰ３等のような多様なマルチメディアデータの伝送及び交換が可能になり、このような多様なマルチメディアを用いて、人々が求める情報を迅速且つ簡単に得ることができる。
【０００３】
しかしながら、デジタル時代への転換による様々な逆機能も出ている。特に、デジタルデータはデジタルという属性から原本と複製本の区分が不可能であり、このような特性からデジタルデータの不法複製、配布及び変形に対する著作権保護及び認証に対する解決策が、急速に要求されている。従って、このデジタルデータに対する複製を効果的に防止し、著作権を保護するための多様な複製防止技術が研究されており、このための方法としてデジタルデータ複製防止に効果があると知られている電子透かし方法に対する研究が活発に進められている。
【０００４】
このような複製防止技術の一具体例として、本件出願人により、映像信号における、例えばフレーム等の所定の周期単位毎の輝度信号の平均値を示す直流成分値に、例えば著作権保護情報等の独自情報を重畳する方法が提案されている。
【発明の開示】
【発明が解決しようとする課題】
【０００５】
しかしながら、本件出願人により提案されている、例えばフレーム等の所定の周期単位毎の輝度信号の平均値を示す直流成分値に、独自情報を重畳する方法においては、例えばＭＰＥＧ２（Ｍｏｖｉｎｇ  Ｐｉｃｔｕｒｅ  Ｅｘｐｅｒｔｓ  Ｇｒｏｕｐ２）等の所定圧縮規格における、例えばＩピクチャ（フレーム内符号化画像：Intra-coded Picture）等の基準画像との関係は考慮していないため、独自情報をより適切且つ効率的に多重化、或いは、多重化された独自情報を抽出することが困難であるという技術的な問題点を有している。
【０００６】
本発明は、例えば、上述した問題を鑑みなされたものであり、例えば映像信号等の情報信号に対して、例えば著作権保護情報等の独自情報をより適切且つ効率的に多重化することを可能ならしめる情報多重装置及び方法、情報抽出装置及び方法、並びに、コンピュータプログラムを提供することを課題とする。
【課題を解決するための手段】
【０００７】
上記課題を解決するために、請求項１に記載の第１の情報多重装置は、静止画像を単位とした第１周期（秒／フレーム、秒／フィールド）で入力される映像信号に独自情報を重畳する情報多重装置であって、前記独自情報を保持する情報信号を生成する生成手段と、前記生成された情報信号を、前記映像信号に含まれる前記第１周期（秒／フレーム、秒／フィールド）毎の輝度信号の平均値を示す直流成分値（平均ＤＣ値、信号の重心）に重畳する重畳手段と、前記生成された情報信号を、前記直流成分値に、所定圧縮規格により定められている単独で再生可能な動画像を単位とした第２周期（ＧＯＰ：１５フレーム（ピクチャ））に基づいて、重畳させるように前記重畳手段を制御する制御手段とを備える。
【０００８】
上記課題を解決するために、請求項２に記載の第２の情報多重装置は、静止画像を単位とした第１周期（秒／フレーム、秒／フィールド）で入力される映像信号に独自情報を重畳する情報多重装置であって、前記独自情報を保持する情報信号を生成する生成手段と、前記生成された情報信号を、前記映像信号に含まれる前記第１周期（秒／フレーム、秒／フィールド）毎の輝度信号の平均値を示す直流成分値（平均ＤＣ値、信号の重心）に重畳する重畳手段と、前記生成された情報信号を、前記直流成分値に、所定圧縮規格により定められている単独で再生可能な動画像（ＧＯＰ）に含まれる基準画像（Ｉピクチャ）を少なくとも２つ含む第３周期（Ｉピクチャが２つ）に基づいて、重畳させるように前記重畳手段を制御する制御手段とを備える。
【０００９】
上記課題を解決するために、請求項１３に記載の第１の情報抽出装置は、請求項１に記載の情報多重装置により前記独自情報が多重化された前記映像信号から前記独自情報を抽出する情報抽出装置であって、前記独自情報を保持する前記情報信号を検出する検出手段と、前記独自情報を、前記検出された情報信号から、前記第２周期（ＧＯＰ：１５フレーム（ピクチャ））に基づいて抽出する抽出手段とを備える。
【００１０】
上記課題を解決するために、請求項１４に記載の第２の情報抽出装置は、請求項２に記載の情報多重装置により前記独自情報が多重化された前記映像信号から前記独自情報を抽出する情報抽出装置であって、前記独自情報を保持する前記情報信号を検出する検出手段と、前記独自情報を、前記検出された情報信号から、前記第３周期（Ｉピクチャが２つ）に基づいて抽出する抽出手段とを備える。
【００１１】
上記課題を解決するために、請求項１６に記載の第１の情報多重方法は、静止画像を単位とした第１周期（秒／フレーム、秒／フィールド）で入力される映像信号に独自情報を重畳する情報多重装置における情報多重方法であって、前記独自情報を保持する情報信号を生成する生成工程と、前記生成された情報信号を、前記映像信号に含まれる前記第１周期（秒／フレーム、秒／フィールド）毎の輝度信号の平均値を示す直流成分値（平均ＤＣ値、信号の重心）に重畳する重畳工程と、前記生成された情報信号を、前記直流成分値に、所定圧縮規格により定められている単独で再生可能な動画像を単位とした第２周期（ＧＯＰ：１５フレーム（ピクチャ））に基づいて、重畳させるように前記重畳工程を制御する制御工程とを備える。
【００１２】
上記課題を解決するために、請求項１７に記載の第２の情報多重方法は、静止画像を単位とした第１周期（秒／フレーム、秒／フィールド）で入力される映像信号に独自情報を重畳する情報多重装置における情報多重方法であって、前記独自情報を保持する情報信号を生成する生成工程と、前記生成された情報信号を、前記映像信号に含まれる前記第１周期（秒／フレーム、秒／フィールド）毎の輝度信号の平均値を示す直流成分値（平均ＤＣ値、信号の重心）に重畳する重畳工程と、前記生成された情報信号を、前記直流成分値に、所定圧縮規格により定められている単独で再生可能な動画像（ＧＯＰ）に含まれる基準画像（Ｉピクチャ）を少なくとも２つ含む第３周期（Ｉピクチャが２つ）に基づいて、重畳させるように前記重畳工程を制御する制御工程とを備える。
【００１３】
上記課題を解決するために、請求項１８に記載の第１の情報抽出方法は、請求項１に記載の情報多重装置により前記独自情報が多重化された前記映像信号から前記独自情報を抽出する情報抽出装置における情報抽出方法であって、前記独自情報を保持する前記情報信号を検出する検出工程と、前記独自情報を、前記検出された情報信号から、前記第２周期（ＧＯＰ：１５フレーム（ピクチャ））に基づいて抽出する抽出工程とを備える。
【００１４】
上記課題を解決するために、請求項１９に記載の第２の情報抽出方法は、請求項２に記載の情報多重装置により前記独自情報が多重化された前記映像信号から前記独自情報を抽出する情報抽出装置における情報抽出方法であって、前記独自情報を保持する前記情報信号を検出する検出工程と、前記独自情報を、前記検出された情報信号から、前記第３周期（Ｉピクチャが２つ）に基づいて抽出する抽出工程とを備える。
【００１５】
上記課題を解決するために、請求項２０に記載の第１のコンピュータプログラムは、請求項１に記載の情報多重装置に備えられたコンピュータを制御する多重制御用のコンピュータプログラムであって、該コンピュータを、前記生成手段、前記重畳手段、及び前記制御手段のうち少なくとも一部として機能させる。
【００１６】
上記課題を解決するために、請求項２１に記載の第２のコンピュータプログラムは、請求項２に記載の情報多重装置に備えられたコンピュータを制御する多重制御用のコンピュータプログラムであって、該コンピュータを、前記生成手段、前記重畳手段、及び前記制御手段のうち少なくとも一部として機能させる。
【００１７】
上記課題を解決するために、請求項２２に記載の第３のコンピュータプログラムは、請求項１３に記載の情報抽出装置に備えられたコンピュータを制御する抽出制御用のコンピュータプログラムであって、該コンピュータを、前記検出手段、及び前記抽出手段のうち少なくとも一部として機能させる。
【００１８】
上記課題を解決するために、請求項２３に記載の第４のコンピュータプログラムは、請求項１４に記載の情報抽出装置に備えられたコンピュータを制御する抽出制御用のコンピュータプログラムであって、該コンピュータを、前記検出手段、及び前記抽出手段のうち少なくとも一部として機能させる。
【００１９】
本発明の作用及び他の利得は次に説明する実施の形態から明らかにされよう。
【発明を実施するための最良の形態】
【００２０】
以下、発明を実施するための最良の形態としての本発明の実施形態に係る情報多重装置、情報抽出装置、情報多重方法、情報抽出方法、並びにコンピュータプログラムについて順に説明する。
【００２１】
（情報多重装置の実施形態）
本発明の情報多重装置に係る第１実施形態は、静止画像を単位とした第１周期（秒／フレーム、秒／フィールド）で入力される映像信号に独自情報を重畳する情報多重装置であって、前記独自情報を保持する情報信号を生成する生成手段と、前記生成された情報信号を、前記映像信号に含まれる前記第１周期（秒／フレーム、秒／フィールド）毎の輝度信号の平均値を示す直流成分値（平均ＤＣ値、信号の重心）に重畳する重畳手段と、前記生成された情報信号を、前記直流成分値に、所定圧縮規格により定められている単独で再生可能な動画像を単位とした第２周期（ＧＯＰ：１５フレーム（ピクチャ））に基づいて、重畳させるように前記重畳手段を制御する制御手段とを備える。
【００２２】
本発明の情報多重装置に係る第１実施形態によれば、先ず、映像信号と、著作権保護情報等の独自情報とが、当該情報多重装置に入力される。尚、情報多重装置に入力される映像信号は、アナログ方式の映像信号であってもよいし、デジタル方式の映像信号であってもよい。
【００２３】
次に、生成手段は、独自情報を保持する情報信号を生成する。
【００２４】
次に、制御手段の制御下で、重畳手段は、情報信号を、映像信号に含まれる第１周期毎の輝度信号の平均値を示す直流成分値（平均ＤＣ値、信号の重心）に、第２周期に基づいて重畳する。ここに、本願発明に係る「第２周期」とは、例えば、ＭＰＥＧ２（Ｍｏｖｉｎｇ  Ｐｉｃｔｕｒｅ  Ｅｘｐｅｒｔｓ  Ｇｒｏｕｐ２）等の所定圧縮規格により定められている単独で再生可能な動画像の単位であるＧＯＰ（Group Of Picture）の周期に基づいた周期である。また、本願発明に係る「第１周期」とは、ディスプレイの表示方式の一例たるＮＴＳＣ方式のフィールド周期である１／６０秒を基準とした周期であってもよいし、フレーム周期の１／３０秒を基準とした周期であってもよい。
【００２５】
特に、第１実施形態においては、例えばＭＰＥＧ２等の所定圧縮規格におけるＧＯＰを単位とした第２周期に基づいて、独自情報を保持する情報信号が直流成分値に重畳されている。従って、後述される情報抽出装置によって、少なくとも基準画像だけに基づいて、独自情報を抽出することが可能となる。即ち、例えばＩピクチャ等の基準画像と、例えばＢピクチャやＰピクチャ等の予測画像との相対的なずれに影響されることなく、独自情報を抽出することが可能となる。
【００２６】
この結果、後述される情報抽出装置によって、基準画像の直流成分値が検出され、演算等の処理が行われることによって、独自情報を抽出し復元することが可能となる。また、例えばＩピクチャ等の基準画像における画像処理は、基準画像から復元される、例えばＰピクチャやＢピクチャ等の予測画像における画像処理と比較して、複雑な制御が必要ないため処理時間を短縮することが可能である。
【００２７】
以上より、第１実施形態によれば、映像信号に対して、例えば著作権保護情報等の独自情報をより適切且つ効率的に多重化することが可能となる。
【００２８】
本発明の情報多重装置に係る第２実施形態は、静止画像を単位とした第１周期（秒／フレーム、秒／フィールド）で入力される映像信号に独自情報を重畳する情報多重装置であって、前記独自情報を保持する情報信号を生成する生成手段と、前記生成された情報信号を、前記映像信号に含まれる前記第１周期（秒／フレーム、秒／フィールド）毎の輝度信号の平均値を示す直流成分値（平均ＤＣ値、信号の重心）に重畳する重畳手段と、前記生成された情報信号を、前記直流成分値に、所定圧縮規格により定められている単独で再生可能な動画像（ＧＯＰ）に含まれる基準画像（Ｉピクチャ）を少なくとも２つ含む第３周期（Ｉピクチャが２つ）に基づいて、重畳させるように前記重畳手段を制御する制御手段とを備える。
【００２９】
本発明の情報多重装置に係る第２実施形態によれば、その構成、及び作用は、前述した第１実施形態と概ね同様である。
【００３０】
特に、第２実施形態によれば、第３周期に基づいて、独自情報を保持する情報信号が直流成分値に重畳されている。ここに、本願発明に係る「第３周期」とは、基準画像（Ｉピクチャ）を少なくとも２つ含む周期である。従って、例えば情報抽出装置によって、再エンコードされた場合、どの基準画像が、独自情報を保持する正しい情報信号を示すのかを適切に識別することが可能である。
【００３１】
仮に、１つのＧＯＰの単位の周期に基づいて、独自情報が重畳された場合、情報抽出装置によって抽出された基準画像（Ｉピクチャ）における直流成分値の推移によって、一のシンボル（例えば「１」）が重畳された時間間隔と、他のシンボル（「０」）が重畳された時間間隔との境界を識別することができなくなってしまう。
【００３２】
これに対して、第２実施形態によれば、少なくとも２つの基準画像（Ｉピクチャ）を含む第３周期に基づいて、独自情報を保持する情報信号が直流成分値に重畳されている。従って、例えば情報抽出装置によって、再エンコードされた場合、どの基準画像が、独自情報を保持する正しい情報信号を示すのかを適切に識別することが可能である。
【００３３】
以上より、第２実施形態によれば、例えば映像信号に対して、例えば著作権保護情報等の独自情報をより適切且つ効率的に多重化することが可能となる。
【００３４】
本発明の情報多重装置に係る第１及び第２実施形態の一の態様は、前記第２周期、又は前記第３周期においては、（ｉ）前記独自情報が重畳された有効信号周期と、（ｉｉ）前記独自情報が重畳されない遷移周期とが有り、前記制御手段は、前記有効信号周期において、前記情報信号を前記直流成分値に重畳させるように前記重畳手段を制御する。
【００３５】
この態様によれば、有効信号周期においては、独自情報を分散させて、映像信号に重畳することが可能となる。従って、映像信号が視聴されても独自情報が視覚的に目立つことを殆ど防止することが可能となると共に、例えばフリッカ等の画面における輝度信号の劣化の影響を抑制することが可能となる。
【００３６】
この制御手段に係る態様では、前記制御手段は、（ｉ）前記映像信号の伝送時間軸上において前記遷移周期の前に位置される一の有効信号周期における、前記情報信号が重畳された一の直流成分値と、（ｉｉ）前記遷移周期の後に位置される他の有効信号周期における、前記情報信号が重畳された他の直流成分値とが連続して遷移させるための緩衝信号を、前記情報信号として、前記遷移周期において重畳させるように前記重畳手段を制御するように構成してもよい。
【００３７】
このように構成すれば、遷移周期においては、当該遷移周期の前後に位置される一の有効信号周期と、他の有効信号周期とにおける重畳量の差の最大値である所定量を緩衝させて、連続して遷移させることが可能となる。従って、映像信号が視聴されても独自情報が視覚的に目立つことを殆ど防止することが可能となると共に、例えばフリッカ等の画面における輝度信号の劣化の影響を抑制することが可能となる。
【００３８】
更に、この制御手段に係る態様では、前記制御手段は、前記映像信号が走査される画面内の、前記直流成分値の単位時間当たりの変化率が平均変化率より大きい変化領域において、前記緩衝信号を重畳させるように前記重畳手段を制御するように構成してもよい。
【００３９】
このように構成すれば、映像信号が視聴されても独自情報が視覚的に目立つことを殆ど防止することが可能となる。
【００４０】
本発明の情報多重装置に係る第１及び第２実施形態の他の態様は、前記制御手段は、前記生成された情報信号を、前記直流成分値の増減に基づいて、前記第２周期、又は前記第３周期で、当該直流成分値に重畳させるように前記重畳手段を制御する。
【００４１】
この態様によれば、例えばフレーム等の静止画像における直流成分値の増減に基づいて、第２周期、又は第３周期で、独自情報が重畳される。従って、映像信号が視聴されても独自情報が視覚的に目立つことを殆ど防止することが可能となると共に、例えばフリッカ等の画面における輝度信号の劣化の影響を抑制することが可能となる。
【００４２】
この制御手段に係る態様では、前記生成手段は、前記独自情報として、２進数で表示可能な情報信号を生成し、前記制御手段は、（ｉ）前記直流成分値が増加（プラス）される場合、前記情報信号を構成する一のシンボル（「１」）に対応して、所定量を前記直流成分値に加算させ、（ｉｉ）前記直流成分値が減少（マイナス）される場合、前記一のシンボル（「１」）に対応して、所定量を前記直流成分値から減算させるように構成してもよい。
【００４３】
このように構成すれば、例えばフレーム等の静止画像における直流成分値の変化の方向に沿って、独自情報が重畳される。従って、映像信号が視聴されても独自情報が視覚的に目立つことを殆ど防止することが可能となると共に、例えばフリッカ等の画面における輝度信号の劣化の影響を抑制することが可能となる。
【００４４】
更に、この制御手段に係る態様では、前記制御手段は、（ｉｉｉ）前記情報信号を構成する他のシンボル（「０」）に対応して、前記情報信号を、前記直流成分値に重畳させないように構成してもよい。
【００４５】
このように構成すれば、例えばフレーム等の静止画像における直流成分値の変化の方向を変えずに、独自情報を重畳することができる。従って、映像信号が視聴されても独自情報が視覚的に目立つことを殆ど又は完全に防止することが可能となると共に、例えばフリッカ等の画面における輝度信号の劣化の影響をより抑制することが可能となる。
【００４６】
更に、この制御手段に係る態様では、前記制御手段は、（ｉｖ）不連続に推移する直流成分値においては、前記一及び他のシンボルのうち一方から他方へ変化させる情報信号を、重畳させないように前記重畳手段を制御するように構成してもよい。
【００４７】
このように構成すれば、不連続に推移する直流成分値においても、後述される情報抽出装置によって、適切に独自情報が抽出されることが可能である。
【００４８】
更に、この制御手段に係る態様では、前記制御手段は、（ｉｖ）不連続に推移する直流成分値においては、前記一及び他のシンボルのうち一方から他方へ変化したことを示す所定規則に基づいて、前記情報信号を重畳させるように前記重畳手段を制御するように構成してもよい。
【００４９】
このように構成すれば、不連続に推移する直流成分値においても、後述される情報抽出装置によって、所定規則に基づいて、適切に独自情報が抽出されることが可能である。
【００５０】
この制御手段に係る態様では、前記制御手段は、（ｖ）不連続に推移する直流成分値においては、前記情報信号を、延長された第２周期、又は第３周期で、重畳させるように前記重畳手段を制御するように構成してもよい。
【００５１】
このように構成すれば、不連続に推移する直流成分値においても、後述される情報抽出装置によって、延長された第２周期、又は第３周期で、適切に独自情報が抽出されることが可能である。
【００５２】
この制御手段に係る態様では、前記制御手段は、（ｖｉ）不連続に推移する直流成分値においては、前記不連続を緩衝するオフセット量を前記直流成分値に加算しつつ、前記情報信号を重畳させるように前記重畳手段を制御するように構成してもよい。
【００５３】
このように構成すれば、不連続に推移する直流成分値においても、後述される情報抽出装置によって、オフセット量によって、不連続が緩衝されるので、適切に独自情報が抽出されることが可能である。
【００５４】
（情報抽出装置の実施形態）
本発明の情報抽出装置に係る第１実施形態は、上述した本発明の情報多重装置に係る第１実施形態（但し、その各種態様を含む）により前記独自情報が多重化された前記映像信号から前記独自情報を抽出する情報抽出装置であって、前記独自情報を保持する前記情報信号を検出する検出手段と、前記独自情報を、前記検出された情報信号から、前記第２周期（ＧＯＰ：１５フレーム（ピクチャ））に基づいて抽出する抽出手段とを備える。
【００５５】
本発明の情報抽出装置に係る第１実施形態によれば、先ず、検出手段は、例えば、ビットストリーム、又はファイルに記録された符号化された映像信号を、例えば伸長し復号化する。と同時に又は相前後して、映像信号に含まれる、独自情報を保持する情報信号を検出する。
【００５６】
次に、抽出手段によって、例えば復号化され検出された情報信号から、独自情報が第２周期に基づいて抽出される。そして、例えば、映像信号と共に、例えばディスプレイモニタ等の受像管に表示される、又は、記録媒体に記録される。
【００５７】
特に、第１実施形態によれば、例えばデジタル映像信号の第２周期に含まれる、少なくとも基準画像だけに基づいて、独自情報を抽出することが可能となる。
【００５８】
この結果、第１実施形態によって、基準画像の直流成分値が検出され、演算等の処理が行われることによって、独自情報を抽出し復元することが可能となる。また、例えばＩピクチャ等の基準画像における画像処理は、基準画像から復元される、例えばＰピクチャやＢピクチャ等の予測画像における画像処理と比較して、複雑な制御が必要ないため処理時間を短縮することが可能である。
【００５９】
以上より、第１実施形態によれば、映像信号から、例えば著作権保護情報等の独自情報をより適切且つ効率的に抽出することが可能となる。
【００６０】
尚、上述した本発明の情報多重装置に係る各種態様に対応して、本発明の情報抽出装置に係る第１実施形態も各種態様を採ることが可能である。
【００６１】
本発明の情報抽出装置に係る第２実施形態は、上述した本発明の情報多重装置に係る第２実施形態（但し、その各種態様を含む）により前記独自情報が多重化された前記映像信号から前記独自情報を抽出する情報抽出装置であって、前記独自情報を保持する前記情報信号を検出する検出手段と、前記独自情報を、前記検出された情報信号から、前記第３周期（Ｉピクチャが２つ）に基づいて抽出する抽出手段とを備える。
【００６２】
本発明の情報抽出装置に係る第２実施形態によれば、その構成、及び作用は、前述した第１実施形態と概ね同様である。
【００６３】
特に、第２実施形態によれば、第３周期に含まれる、少なくとも基準画像だけに基づいて、独自情報を抽出することが可能となる。従って、例えば第２実施形態によって、再エンコードされた場合、どの基準画像が、独自情報を保持する正しい情報信号を示すのかを適切に識別することが可能である。
【００６４】
以上より、第２実施形態によれば、映像信号から、例えば著作権保護情報等の独自情報をより適切且つ効率的に抽出することが可能となる。
【００６５】
本発明の情報抽出装置に係る第１及び第２実施形態の一の態様は、前記映像信号に含まれる前記第１周期毎の輝度信号の平均値を示す直流成分値を測定する測定手段と、前記直流成分値に一のオフセット値を加算することが可能な加算手段とを更に備え、前記検出手段は、更に、（ｉ）前記直流成分値が、不連続に推移する推移点を検出し、（ｉｉ）前記不連続を緩衝する前記一のオフセット値を前記直流成分値に加算させるように前記加算手段を制御しつつ前記情報信号を検出し、前記抽出手段は、前記独自情報を、前記検出された情報信号から、前記第２周期、又は前記第３周期に基づいて抽出する。
【００６６】
この態様によれば、不連続に推移する直流成分値においても、適切に独自情報を抽出することが可能である。尚、情報抽出装置は、例えばプレイバック等の再生の最中に、一のオフセット値を加算するようにしてもよい。
【００６７】
（情報多重方法の実施形態）
本発明の情報多重方法に係る第１実施形態は、静止画像を単位とした第１周期（秒／フレーム、秒／フィールド）で入力される映像信号に独自情報を重畳する情報多重装置における情報多重方法であって、前記独自情報を保持する情報信号を生成する生成工程と、前記生成された情報信号を、前記映像信号に含まれる前記第１周期（秒／フレーム、秒／フィールド）毎の輝度信号の平均値を示す直流成分値（平均ＤＣ値、信号の重心）に重畳する重畳工程と、前記生成された情報信号を、前記直流成分値に、所定圧縮規格により定められている単独で再生可能な動画像を単位とした第２周期（ＧＯＰ：１５フレーム（ピクチャ））に基づいて、重畳させるように前記重畳工程を制御する制御工程とを備える。
【００６８】
本発明の情報多重方法に係る第１実施形態によれば、上述した本発明の情報多重装置に係る第１実施形態と同様の各種利益を享受することができる。
【００６９】
尚、上述した本発明の情報多重装置に係る第１実施形態における各種態様に対応して、本発明に係る情報多重方法の第１実施形態も各種態様を採ることが可能である。
【００７０】
本発明の情報多重方法に係る第２実施形態は、静止画像を単位とした第１周期（秒／フレーム、秒／フィールド）で入力される映像信号に独自情報を重畳する情報多重装置における情報多重方法であって、前記独自情報を保持する情報信号を生成する生成工程と、前記生成された情報信号を、前記映像信号に含まれる前記第１周期（秒／フレーム、秒／フィールド）毎の輝度信号の平均値を示す直流成分値（平均ＤＣ値、信号の重心）に重畳する重畳工程と、前記生成された情報信号を、前記直流成分値に、所定圧縮規格により定められている単独で再生可能な動画像（ＧＯＰ）に含まれる基準画像（Ｉピクチャ）を少なくとも２つ含む第３周期（Ｉピクチャが２つ）に基づいて、重畳させるように前記重畳工程を制御する制御工程とを備える。
【００７１】
本発明の情報多重方法に係る第２実施形態によれば、上述した本発明の情報多重装置に係る第２実施形態と同様の各種利益を享受することができる。
【００７２】
尚、上述した本発明の情報多重装置に係る第２実施形態における各種態様に対応して、本発明に係る情報多重方法の第２実施形態も各種態様を採ることが可能である。
【００７３】
（情報抽出方法の実施形態）
本発明の情報抽出方法に係る第１実施形態は、上述した本発明の情報多重装置に係る第１実施形態（但し、その各種態様を含む）により前記独自情報が多重化された前記映像信号から前記独自情報を抽出する情報抽出装置における情報抽出方法であって、前記独自情報を保持する前記情報信号を検出する検出工程と、前記独自情報を、前記検出された情報信号から、前記第２周期（ＧＯＰ：１５フレーム（ピクチャ））に基づいて抽出する抽出工程とを備える。
【００７４】
本発明の情報抽出方法に係る第１実施形態によれば、上述した本発明の情報抽出装置に係る第１実施形態と同様の各種利益を享受することができる。
【００７５】
尚、上述した本発明の情報抽出装置に係る第１実施形態における各種態様に対応して、本発明に係る情報抽出方法の第１実施形態も各種態様を採ることが可能である。
【００７６】
本発明の情報抽出方法に係る第２実施形態は、上述した本発明の情報多重装置に係る第２実施形態（但し、その各種態様を含む）により前記独自情報が多重化された前記映像信号から前記独自情報を抽出する情報抽出装置における情報抽出方法であって、前記独自情報を保持する前記情報信号を検出する検出工程と、前記独自情報を、前記検出された情報信号から、前記第３周期（Ｉピクチャが２つ）に基づいて抽出する抽出工程とを備える。
【００７７】
本発明の情報抽出方法に係る第２実施形態によれば、上述した本発明の情報抽出装置に係る第２実施形態と同様の各種利益を享受することができる。
【００７８】
尚、上述した本発明の情報抽出装置に係る第２実施形態における各種態様に対応して、本発明に係る情報抽出方法の第２実施形態も各種態様を採ることが可能である。
【００７９】
（コンピュータプログラムの実施形態）
本発明に係るコンピュータプログラムの第１実施形態は、上述した本発明の情報多重装置に係る実施形態（但し、その各種態様を含む）に備えられたコンピュータを制御する多重制御用のコンピュータプログラムであって、該コンピュータを、前記生成手段、前記重畳手段、及び前記制御手段のうち少なくとも一部として機能させる。
【００８０】
本発明に係るコンピュータプログラムの第２実施形態は、上述した本発明の情報多重装置に係る実施形態（但し、その各種態様を含む）に備えられたコンピュータを制御する多重制御用のコンピュータプログラムであって、該コンピュータを、前記生成手段、前記重畳手段、及び前記制御手段のうち少なくとも一部として機能させる。
【００８１】
本発明に係るコンピュータプログラムの第３実施形態は、上述した本発明の情報抽出装置に係る実施形態（但し、その各種態様を含む）に備えられたコンピュータを制御する抽出制御用のコンピュータプログラムであって、該コンピュータを、前記検出手段、及び前記抽出手段のうち少なくとも一部として機能させる。
【００８２】
本発明に係るコンピュータプログラムの第４実施形態は、上述した本発明の情報抽出装置に係る実施形態（但し、その各種態様を含む）に備えられたコンピュータを制御する抽出制御用のコンピュータプログラムであって、該コンピュータを、前記検出手段、及び前記抽出手段のうち少なくとも一部として機能させる。
【００８３】
本発明に係るコンピュータプログラムの第１から第４実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報多重装置、又は情報抽出装置に係る実施形態を比較的簡単に実現できる。
【００８４】
尚、上述した本発明の情報多重装置、又は情報抽出装置に係る第１及び第２実施形態における各種態様に対応して、本発明のコンピュータプログラムに係る第１から第４実施形態も各種態様を採ることが可能である。
【００８５】
本発明のこのような作用及び他の利得は次に説明する実施例から明らかにされる。
【００８６】
以上説明したように、本発明の情報多重装置又は方法に係る第１及び第２実施形態によれば、生成手段及び工程、重畳手段及び工程、並びに制御手段及び工程を備える。従って、従って、後述される情報抽出装置によって、少なくとも基準画像だけに基づいて、独自情報を抽出することが可能となる。この結果、映像信号に対して、例えば著作権保護情報等の独自情報をより適切且つ効率的に多重化することが可能となる。
【００８７】
また、本発明の情報抽出装置又は方法に係る第１及び第２実施形態によれば、検出手段及び工程、並びに、抽出手段及び工程を備える。従って、第２周期、又は第３周期に含まれる、少なくとも基準画像だけに基づいて、独自情報を抽出することが可能となる。この結果、映像信号から、例えば著作権保護情報等の独自情報をより適切且つ効率的に抽出することが可能となる。
【００８８】
更に、また、本発明のコンピュータプログラムに係る第１から第４実施形態によれば、コンピュータを上述した本発明の情報多重装置、及び情報抽出装置に係る実施形態として機能させる。従って、情報多重装置をして、映像信号に対して、例えば著作権保護情報等の独自情報をより適切且つ効率的に多重化することが可能となる。加えて、情報抽出装置をして、映像信号から、例えば著作権保護情報等の独自情報をより適切且つ効率的に抽出することが可能となる。
【実施例】
【００８９】
以下、図面を参照しながら、本発明の実施例について説明する。
【００９０】
（１）本発明の概略
（１−１）情報多重装置及び情報抽出装置の概略
先ず、図１を参照して、本発明の情報多重装置及び情報抽出装置の概略について説明する。ここに、図１は、本発明に係る情報多重装置及び情報抽出装置を用いたシステムの概念的な構成図である。
【００９１】
図１に示されるように、先ず、映像信号１０と、著作権情報等の独自情報２０とが、情報多重装置１００に入力される。次に、情報多重装置１００は、独自情報２０を映像信号１０に重畳する。より詳細には、情報多重装置１００は、独自情報２０が重畳された映像信号１０を、例えば、圧縮符号化し、ビットストリーム又はファイルとして、ネットワーク又はＣＤや、ＤＶＤ等の記録媒体へと出力する。そして、例えばネットワークを介して伝送されるビットストリーム、又は記録媒体等に記録されたファイルが、情報抽出装置２００に入力される。他方、情報抽出装置２００は、前述したビットストリーム、又はファイルに記録された符号化された映像信号１０を、例えば伸長し復号化する。そして、復号化された映像信号１０から、重畳された独自情報は抽出されて、映像信号１０と共に、モニターに表示される、又は、記録媒体に記録される。
【００９２】
（１−２）独自情報が多重される本発明に係る第１周期及び第２周期の概要
次に、図２及び図３を参照して、独自情報が多重される本発明に係る第１周期、及び第２周期の概略について説明する。ここに、図２は、本発明に係る映像信号、第２周期で重畳される独自情報、及び伝送時間軸を図式的に示した概念図である。図３は、本発明に係る独自情報が重畳される第２周期、及び第３周期の一具体例を図式的に示した概念図である。
【００９３】
図２に示されるように、独自情報２０が、映像信号１０に、例えば第２周期等の所定周期の単位で、伝送時間軸上において多重化される。より具体的には、独自情報２０が、「１」、「０」、「１」、「１」、「０」、…、「１」として、動画像「Ａ」、動画像「Ｂ」、動画像「Ｃ」、動画像「Ｄ」、動画像「Ａ」、…、動画像「Ｄ」に夫々含まれる輝度信号の平均値を示す直流成分値に、第２周期、又は第３周期の単位で重畳される。
【００９４】
ここに、本願発明に係る「第２周期」とは、例えば、ＭＰＥＧ２（Ｍｏｖｉｎｇ  Ｐｉｃｔｕｒｅ  Ｅｘｐｅｒｔｓ  Ｇｒｏｕｐ２）等の所定圧縮規格により定められている単独で再生可能な動画像の単位であるＧＯＰ（Group Of Picture）の周期に基づいた周期である。
【００９５】
具体的には、例えばＧＯＰが、１５フレーム（フレーム画像）によって構成され、１フレーム当たり１／３０秒である場合、第２周期は、２つのＧＯＰを構成する３０フレームに相当する１．０秒（＝１５×２÷３０）であるようにしてもよい。より具体的には、図３に示されるように、１つのＧＯＰは、１５のフレームの集合である例えば「ＩＢＢＰＢＢＰＢＢＰＢＢＰＢＢ」を備えて構成されている。尚、符号「Ｉ」は、本発明に係る「基準画像」の一具体例を構成するＩピクチャ（フレーム内符号化画像：Intra-coded Picture）を示し、符号「Ｐ」は、Ｐピクチャ（フレーム間順方向予測符号化画像：Predictive-coded Picture）を示し、符号「Ｂ」は、Ｂピクチャ（フレーム間両方向予測符号化画像：Bidirectionally predictive-coded Picture）を示す。従って、第２周期の一具体例である２つのＧＯＰを構成する３０フレームは、「ＩＢＢＰＢＢＰＢＢＰＢＢＰＢＢ」に加えて「ＩＢＢＰＢＢＰＢＢＰＢＢＰＢＢ」を備えて構成されている。
【００９６】
他方、本願発明に係る「第３周期」とは、基準画像（Ｉピクチャ）を少なくとも２つ含む周期である。具体的には、第３周期は、前述した第２周期と同じフレーム数で構成された場合、「ＰＢＢＩＢＢＰＢＢＰＢＢＰＢＢ」に加えて「ＰＢＢＩＢＢＰＢＢＰＢＢＰＢＢ」を備えて構成されるようにしてもよい。尚、本実施例では、１つのＧＯＰは、１５個のフレーム（ピクチャ）から構成されているが、ＭＰＥＧ２又はＭＰＥＧ４における圧縮方式では、１つのＧＯＰを構成するピクチャ数は任意に定めることができる。
【００９７】
また、第２周期、及び第３周期の単位で独自情報２０が重畳される直流成分値（平均ＤＣ値、信号の重心）は、第１周期（秒／フレーム、秒／フィールド）毎の輝度信号の平均値を示すようにしてもよい。ここに、「第１周期」とは、ディスプレイの表示方式の一例たるＮＴＳＣ方式のフィールド周期である１／６０秒を基準とした周期であってもよいし、フレーム周期の１／３０秒を基準とした周期であってもよい。或いは、ＰＡＬ方式のフィールド周期である１／５０秒を基準とした周期であってもよいし、フレーム周期の１／２５秒を基準とした周期であってもよい。
【００９８】
更に、本発明に係る第２周期、及び第３周期の単位で、独自情報が重畳されることの効果については、後述される図９等において説明される。
【００９９】
（２）情報多重装置の第１実施例の詳細
次に、図４から図８を参照して、本発明の情報多重装置に係る第１実施例の基本構成及び動作原理について説明する。ここに、図４は、本発明の情報多重装置に係る第１実施例に係る基本構成を示したブロック図である。
【０１００】
（２−１）基本構成
図４に示されるように、本発明の情報多重装置に係る実施例は、Ａ／Ｄ（Analog to Digital）変換器１０１、フレームメモリ１０２、平均ＤＣ演算器１０３、比較器１０４、ＶＢＩ（Vertical blanking interval）検出器１０５、生成器１０６、制御器１０７、重畳器１０８、リミッタ（Limiter）１０９、及び、ＭＰＥＧエンコーダ１１０を備えて構成されている。
【０１０１】
Ａ／Ｄ（Analog to Digital）変換器１０１においては、アナログ映像信号１０ａが入力される。尚、Ａ／Ｄ変換器１０１においては、映像情報を含まない映像信号の走査線であるブランキングが除去されるように構成してもよい。
【０１０２】
フレームメモリ１０２においては、Ａ／Ｄ変換されたデジタル映像信号（ディジタル映像信号）１０ｄが、記憶される。
【０１０３】
平均ＤＣ演算器１０３においては、フレームメモリ１０２から出力されたデジタル映像信号１０ｄに含まれるフレームの直流成分値の平均値が演算され、後述される制御器１０７へ出力される。
【０１０４】
比較器１０４においては、（ｉ）現在、入力された新しいフレームを構成する画素（ピクセル）における輝度信号の平均値を示す直流成分値（平均ＤＣ値、信号の重心）と、（ｉｉ）新しいフレームより時間的に１フレームだけ古いフレームを構成する画素（ピクセル）における輝度信号の平均値を示す直流成分値との比較が行われる。従って、後述される制御器１０７は、この比較結果に基づいて、映像信号が走査される画面内において、直流成分値の単位時間当たりの変化率が平均変化率より大きい画素（ピクセル）を識別して、本発明に係る変化領域を特定することが可能となる。
【０１０５】
ＶＢＩ検出器１０５は、水平同期信号Ｈｓｙｎｃ、及び垂直同期信号Ｖｓｙｎｃを検出し、例えばＮＴＳＣ方式のビデオにおける３０フレームに相当する第２周期の単位を検出する。そして、ＶＢＩ検出器１０５は、この検出した第２周期の単位のタイミングを、後述される制御器１０７へ通知する。
【０１０６】
生成器１０６は、独自情報を保持する情報信号を生成する。尚、本発明に係る「生成手段」の一具体例を構成する。
【０１０７】
制御器１０７は、各種手段を統括制御する。尚、制御器１０７は、本発明に係る「制御手段」の一具体例を構成する。
【０１０８】
重畳器１０８は、独自情報を保持する情報信号を、例えば第２周期等の所定の周期で直流成分値に重畳する。尚、重畳器１０８は、本発明に係る「重畳手段」の一具体例を構成する。
【０１０９】
リミッタ（Limiter）１０９は、出力振幅を所定値以下に抑制する。
【０１１０】
ＭＰＥＧエンコーダ１１０は、リミッタ１０９から出力された映像信号を、例えばＭＰＥＧ２等の規格に基づいて、エンコード（符号化）する。
【０１１１】
（２−２）動作原理
次に、図５から図８に加えて前述した図４を適宜参照して、本発明の情報多重装置に係る実施例の動作原理に加えて詳細構成について説明する。ここに、図５は、本発明の情報多重装置に係る実施例に係る動作原理を示したフローチャートである。
【０１１２】
図５に示されるように、先ず、アナログ映像信号１０ａがＡ／Ｄ変換器１０１に入力される（ステップＳ１０）。
【０１１３】
次に、Ａ／Ｄ変換器１０１において、アナログ映像信号１０ａのＡ／Ｄ変換が行われる（ステップＳ１１）。尚、Ａ／Ｄ変換器１０１においては、更に、アナログ映像信号１０ａが、例えばＳビデオ（Ｙ／Ｃ）信号と、基準ビデオ同期信号（具体的には、水平及び垂直同期信号）とに分離され、例えば、ＮＴＳＣ方式のビデオ等に対してはブランキング信号が除去されるようにしてもよい。尚、映画フィルム等に対しては、ブランキング信号の除去は不要であるようにしてもよい。
【０１１４】
次に、Ａ／Ｄ変換されたデジタル映像信号１０ｄが、フレームメモリ１０２に記憶される（ステップＳ１２）。
【０１１５】
次に、平均ＤＣ演算器１０３によって、フレームメモリ１０２から出力されたデジタル映像信号１０ｄに含まれるフレームの直流成分値の平均値が演算され、制御器１０７へ出力される（ステップＳ１３）。特に、平均ＤＣ演算器１０３は、例えばメモリ等の記憶手段を備えるようにしてもよい。従って、制御器１０７は、この記憶手段に履歴として記憶されるフレーム単位の輝度信号の平均値に基づいて、直流成分値が、増加中であるのか、或いは、減少中であるのかを判定することが可能となる。
【０１１６】
ステップＳ１２、及びステップＳ１３と同時に、又は、相前後して、比較器１０４によって、（ｉ）現在、入力された新しいフレームを構成する画素（ピクセル）における輝度信号の平均値を示す直流成分値（平均ＤＣ値、信号の重心）と、（ｉｉ）新しいフレームより時間的に１フレームだけ古いフレームを構成する画素（ピクセル）における輝度信号の平均値を示す直流成分値との比較が行われる（ステップＳ１４）。従って、制御器１０７は、この比較結果に基づいて、映像信号が走査される画面内において、直流成分値の単位時間当たりの変化率が平均変化率より大きい画素（ピクセル）を識別して、本発明に係る変化領域を特定することが可能となる。
【０１１７】
続いて、ステップＳ１２からＳ１４と同時に又は相前後して、ＶＢＩ検出器１０５によって、水平同期信号Ｈｓｙｎｃ、及び垂直同期信号Ｖｓｙｎｃが検出され、例えばＮＴＳＣ方式のビデオにおける３０フレームに相当する第２周期の単位が検出される（ステップＳ１５）。そして、ＶＢＩ検出器１０５は、この検出した第２周期の単位のタイミングを、制御器１０７へ通知する。
【０１１８】
次に、制御器１０７の制御下で、生成器１０６によって生成された、例えば複製世代管理情報（ＣＣＩ：Copy Control Information）等の独自情報２０は、２進数表示における「１」であるか否かが判定される（ステップＳ１６）。
【０１１９】
ここで、独自情報２０が「１」である場合（ステップＳ１６：Ｙｅｓ）、更に、制御器１０７の制御下で、平均ＤＣ演算器１０３によって演算された、フレーム単位の輝度信号の平均値に基づいて、直流成分値が、増加しているか否かが判定される（ステップＳ１７）。ここで、直流成分値が、増加している場合（ステップＳ１７：Ｙｅｓ）、制御器１０７の制御下で、第２周期の単位で、重畳器１０８によって、独自情報を保持する情報信号として、所定量「α」だけ直流成分値に加算される（ステップＳ１８）。ここに、本願発明に係る所定量「α」とは、直流成分値に重畳される重畳量の一単位である。この所定量「α」は、例えば、実験的、経験的又は理論的若しくはシミュレーション等により求めることが可能である。
【０１２０】
ここで、図６、及び図７を参照して、重畳器１０８によって、直流成分値が増加している場合の、独自情報を保持する情報信号として、第２周期の単位で、直流成分値に重畳される重畳量の時間的な変化について説明する。ここに、図６は、本発明に係る映像信号に含まれる直流成分値の時間的な推移を示したグラフ（上側部分）、及び本発明に係る情報多重装置によって、直流成分値に重畳される重畳量の時間的な変化を示したグラフ（下側部分）である。図７は、本発明に係る情報多重装置によって、直流成分値が増加される場合において、第２周期の単位で重畳される重畳量の時間的な変化を示した図式的な模式図である。
【０１２１】
図６中の部分「Ｘ１」及び「Ｘ２」に対応されるように、映像信号に含まれる直流成分値が増加している最中に、独自情報として「１」を重畳する場合、直流成分値に、所定量「α」だけ加算される。
【０１２２】
より詳細には、図７に示されるように、例えば映像信号に含まれる直流成分値が増加している最中に、時間軸に沿って、独自情報として２進数表示における（ｉ）「１」、（ｉｉ）「０」、（ｉｉｉ）「１」を重畳する場合、次のように、情報信号が直流成分値に重畳される。即ち、制御器１０７の制御下で、重畳器１０８によって、前述したように、２つのＧＯＰに基づいて決定可能な第２周期の単位で、（ｉ）に対応して、所定量「α」だけ加算され、（ｉｉ）に対応して、情報信号は、直流成分値に重畳されず、（ｉｉｉ）に対応して、所定量「α」だけ加算される。
【０１２３】
再び、図５に戻る。
【０１２４】
他方、直流成分値が、増加していない場合、即ち直流成分値が減少している場合（ステップＳ１７：Ｎｏ）、制御器１０７の制御下で、第２周期で、重畳器１０８によって、独自情報を保持する情報信号として、所定量「α」だけ直流成分値から減算される（ステップＳ１９）。
【０１２５】
ここで、図８に加えて前述した図６を適宜参照して、重畳器１０８によって、直流成分値が減少している場合の、独自情報を保持する情報信号として、第２周期の単位で、直流成分値に重畳される重畳量の時間的な変化について説明する。ここに、図８は、本発明に係る情報多重装置によって、直流成分値が減少される場合において、第２周期の単位で重畳される重畳量の時間的な変化を示した図式的な模式図である。
【０１２６】
前述した図６中の部分「Ｙ１」及び「Ｙ２」に対応されるように、映像信号に含まれる直流成分値が減少している最中に、独自情報として「１」を重畳する場合、直流成分値に、所定量「α」だけ減算される。
【０１２７】
より詳細には、図８に示されるように、例えば映像信号に含まれる直流成分値が減少している最中に、時間軸に沿って、独自情報として２進数表示における（ｉ）「１」、（ｉｉ）「０」、（ｉｉｉ）「１」を重畳する場合、次のように、情報信号が直流成分値に重畳される。即ち、制御器１０７の制御下で、重畳器１０８によって、前述したように、２つのＧＯＰに基づいて決定可能な第２周期の単位で、（ｉ）に対応して、所定量「α」だけ減算され、（ｉｉ）に対応して、情報信号は、直流成分値に重畳されず、（ｉｉｉ）に対応して、所定量「α」だけ減算される。
【０１２８】
再び、図５に戻る。
【０１２９】
他方、前述したステップＳ１６の判定の結果、独自情報２０が「１」でない場合、即ち、独自情報２０が２進数表示における「０」である場合（ステップＳ１６：Ｎｏ）、独自情報を保持する情報信号は、直流成分値に重畳されない（ステップＳ２０）。
【０１３０】
次に、リミッタ１０９によって、振幅制限をかけられる（ステップＳ２１）。より具体的には、リミッタ１０９によって、情報信号が重畳された輝度信号に対して、振幅制限をかけるために、ダイナミックレンジ圧縮が行われるようにしてもよい。このダイナミックレンジ圧縮によって、独自情報を保持する情報信号の重畳によって輝度信号の飽和を抑制することが可能である。例えば重畳された輝度信号の最大値が「２」の場合、映像信号の最大値を「２５５−２」にクリップする（対応付ける）ことで実現できる。より高度な制御の下では、輝度信号の値を示す所定の範囲を、入出力を示す緩やかな曲線にクリップする（対応付ける）ことで実現できる。
【０１３１】
次に、ＭＰＥＧエンコーダ１１０によって、リミッタ１０９から出力された映像信号が、例えばＭＰＥＧ２等の規格に基づいて、エンコード（符号化）される（ステップＳ２２）。
【０１３２】
（３）本発明の情報多重装置に係る作用効果の検討
次に、図９及び図１０を参照して、本発明の情報多重装置によって、第２周期、又は第３周期の単位で、独自情報が重畳されることによる効果について説明する。ここに、図９は、本発明の情報多重装置によって、第２周期、又は第３周期の単位で、独自情報が重畳されることによって、基準画像（Ｉピクチャ）を有す映像信号に含まれる直流成分値の時間的な推移を示したグラフ（図９（ａ））、及び比較例に係る周期の単位で、独自情報が重畳されることによって、基準画像（Ｉピクチャ）を有す映像信号に含まれる直流成分値の時間的な推移を示したグラフ（図９（ｂ））である。尚、縦軸は、直流成分値に重畳される重畳量を示し、横軸は、時間軸を示す。また、図９において、丸印は、例えば映画フィルムにおける基準画像（Ｉピクチャ）を示し、四角印は、例えばカムコーダーによって抽出された映像信号における基準画像（Ｉピクチャ）を示す。図１０は、本発明に係る第２周期の基準となる映画フィルムにおけるフレーム単位の周期と、例えばＤＶＤ−Ｖｉｄｅｏ規格に基づいたカムコーダーによって複製されたフレームにおける周期との比較を図式的に示した模式図である。尚、図１０における映像「Ａ」から映像「Ｄ」は、前述した図２における映像フレームと対応している。
【０１３３】
本発明に係る情報多重装置によれば、例えばＭＰＥＧ２等の所定圧縮規格におけるＧＯＰを単位とした第２周期に基づいて、独自情報を保持する情報信号が直流成分値に重畳されている。従って、情報抽出装置によって、少なくとも基準画像だけに基づいて、独自情報を抽出することが可能となる。
【０１３４】
この結果、本発明に係る情報抽出装置によって、基準画像の直流成分値が検出され、演算等の処理が行われることによって、独自情報を抽出し復元することが可能となる。また、例えばＩピクチャ等の基準画像における画像処理は、基準画像から復元される、例えばＰピクチャやＢピクチャ等の予測画像における画像処理と比較して、複雑な制御が必要ないため処理時間を短縮することが可能である。
【０１３５】
更に、本発明に係る情報多重装置によれば、少なくとも２つの基準画像（Ｉピクチャ）を含む第３周期に基づいて、独自情報を保持する情報信号が直流成分値に重畳されている。従って、例えば情報抽出装置によって、再エンコードされたとき、どの基準画像が、独自情報を保持する正しい情報信号を示すのかを識別することが可能である。
【０１３６】
より具体的には、図９（ａ）の太い横線に示されるように、四角印で示されたカムコーダーによって抽出された基準画像（Ｉピクチャ）の推移によって、独自情報を保持する情報信号の変化を適切に識別することが可能となる。即ち、（ｉ）独自情報を保持する情報信号を構成する一のシンボル（例えば「１」）が、少なくとも重畳された時間間隔、及び、（ｉｉ）他のシンボル（例えば「０」）が、少なくとも重畳された時間間隔を識別することができる。尚、詳細には、映画フィルムにおける映像信号における基準画像（Ｉピクチャ）が出現する周期と、例えばＤＶＤ−Ｖｉｄｅｏ規格に基づいたカムコーダーによって複製された映像信号における基準画像（Ｉピクチャ）が出現する周期とは異なる。より具体的には、図１０に示されるように、映画フィルムにおけるフレーム（ピクチャ）単位の周期は、１／２４秒である。他方、カムコーダーによって複製されたフレーム（ピクチャ）における周期は、１／３０秒である。従って、映画フィルムの４フレームの時間、即ち、４／２４秒（１／６秒）と、カムコーダーによって複製された５フレームの時間、即ち、５／３０秒（１／６秒）が等しい。
【０１３７】
仮に、１つのＧＯＰの単位の周期に基づいて、独自情報が重畳された場合、図９（ｂ）における点線に示されるように、四角印で示されたカムコーダーによって抽出された基準画像（Ｉピクチャ）における直流成分値の推移によって、一のシンボル（例えば「１」）が重畳された時間間隔と、他のシンボル（「０」）が重畳された時間間隔との境界を識別することができなくなってしまう。
【０１３８】
これに対して、本発明に係る情報多重装置によれば、少なくとも２つの基準画像（Ｉピクチャ）を含む第３周期に基づいて、独自情報を保持する情報信号が直流成分値に重畳されている。従って、例えば情報抽出装置によって、再エンコードされたとき、どの基準画像が、独自情報を保持する正しい情報信号を示すのかを識別することが可能である。
【０１３９】
（４）情報多重装置の第２実施例の詳細
次に、図１１を参照して、本発明の情報多重装置に係る第２実施例について説明する。即ち、例えば直流成分値が増加している場合の、第２実施例に係る制御器１０７の制御下で、第２周期、又は第３周期における遷移周期で、直流成分値に情報信号として、重畳される緩衝信号の時間的な変化について説明する。尚、第２実施例に係る基本構成、及び動作原理については、前述した第１実施例と概ね同様であるので省略する。ここに、図１１は、本発明の情報多重装置に係る第２実施例によって、直流成分値が増加される場合において、第２周期、又は第３周期の単位で重畳される重畳量の時間的な変化を示した図式的な模式図である。
【０１４０】
図１１に示されるように、第２実施例においては、例えば映像信号に含まれる直流成分値が増加している最中に、時間軸に沿って、独自情報として２進数表示における（ｉ）「１」、（ｉｉ）「０」を重畳する場合、次のように、情報信号が直流成分値に重畳される。即ち、制御器１０７の制御下で、重畳器１０８によって、２つのＧＯＰに基づいて特定可能な第２周期の単位で、（ｉ）に対応して、有効信号周期Ｚ１において、所定量「α」だけ加算され、（ｉｉ）に対応して、有効信号周期Ｚ２において、情報信号は、直流成分値に重畳されない。
【０１４１】
特に、有効信号周期Ｚ１と有効信号周期Ｚ２との間に位置される遷移周期Ｗ１においては、有効信号周期Ｚ１において重畳された所定量「α」の重畳量と、有効信号周期Ｚ２における「０：ゼロ」の重畳量との階段形状の差を無くして、連続して遷移させるための緩衝信号が直流成分値に重畳される。
【０１４２】
より具体的には、制御器１０７は、比較器１０４による比較結果に基づいて、映像信号が走査される画面内において、直流成分値の単位時間当たりの変化率が平均変化率より大きい画素（ピクセル）を含む変化領域において、重畳量を減算又は加算させることによって、緩衝信号を重畳するようにしてもよい。
【０１４３】
或いは、画面全体における、例えば３４５６００個（＝７２０×４８０個）の画素（ピクセル）のうち、１個の画素における輝度信号を変化させることによって、「α／３４５６００」の重畳量を減算又は加算させることが可能である。同様にして、２個から３４５６００個の画素における輝度信号を変化させることよって、「２α／３４５６００」から「３４５６００α／３４５６００」（＝α）までの重畳量を減算又は加算させることが可能である。従って、遷移周期Ｗ１において、有効信号周期Ｚ１から有効信号周期Ｚ２に向かう方向で、重畳量は、「３４５６００α／３４５６００」、「３４５５９９α／３４５６００」、「３４５５９８α／３４５６００」、・・・、「３α／３４５６００」、「２α／３４５６００」、「α／３４５６００」、「０」へと遷移させることが可能となる。
【０１４４】
以上のようにして、第２実施例によれば、遷移周期Ｗ１においては、２つの有効信号周期Ｚ１と有効信号周期Ｚ２とにおける重畳量の差の最大値である所定量「α」を緩衝させて、連続して遷移させることが可能となる。
【０１４５】
（５）情報多重装置の第３実施例の詳細
次に、図１２から図１４を参照して、本発明の情報多重装置の第３実施例に係る第１から第３変形例について説明する。即ち、第３実施例に係る第１から第３変形例においては、不連続に推移する直流成分値に対応することが可能となる。尚、第３実施例に係る基本構成、及び動作原理については、前述した第１実施例と概ね同様であるので省略する。ここに、図１２は、本発明に係る映像信号に含まれる直流成分値の時間的な推移において、不連続に推移する推移点を示したグラフである。図１３は、本発明に係る映像信号に含まれる直流成分値の時間的な推移において、不連続に推移する推移点において、オフセット量が加算された場合を示したグラフである。図１４は、本発明に係る映像信号に含まれる直流成分値の時間的な推移において、不連続に推移する推移点において、所定規則に基づいて、情報信号が重畳された場合を示したグラフである。尚、図１２から図１３において、縦軸は、映像信号に重畳される直流成分値を示し、横軸は、時間軸を示す。
【０１４６】
第３実施例に係る第１変形例においては、制御器１０７の制御下で、重畳器１０８は、図１２に示されるように、不連続に推移する直流成分値においては、独自情報を保持する情報信号を構成する一のシンボル（「１」）及び他のシンボル（「０」）のうち一方から他方へ変化させる、即ち、情報信号を反転させないように構成してもよい。
【０１４７】
また、第３実施例に係る第２変形例においては、制御器１０７の制御下で、重畳器１０８は、図１３に示されるように、不連続に推移する直流成分値においては、不連続を緩衝するオフセット量を直流成分値に加算しつつ、情報信号を重畳させるように構成してもよい。
【０１４８】
更に、また、第３実施例に係る第３変形例においては、制御器１０７の制御下で、重畳器１０８は、図１４に示されるように、不連続に推移する直流成分値においては、一及び他のシンボルのうち一方（「１」）から他方（「０」）へ変化（反転）したことを示す所定規則に基づいて、情報信号を重畳させるように構成してもよい。
【０１４９】
具体的には、図１４（ａ）に示されるように、直流成分値が増加している際、不連続に推移する推移点において、独自情報が「１」から「０」へ変化（反転）した場合、制御器１０７の制御下で、重畳器１０８は、推移点の前に所定量「α」を直流成分値に加算するようにしてもよいし、推移点の後に情報信号を重畳しないようにしてもよい。
【０１５０】
また、図１４（ｂ）に示されるように、直流成分値が増加している際、不連続に推移する推移点において、独自情報が「１」から「０」へ変化（反転）した場合、制御器１０７の制御下で、重畳器１０８は、推移点の前に所定量「α」を直流成分値に加算するようにしてもよいし、推移点の後に所定量「α」を直流成分値に加算するようにしてもよい。
【０１５１】
また、図１４（ｃ）に示されるように、直流成分値が増加している際、不連続に推移する推移点において、独自情報が変化した場合、制御器１０７の制御下で、重畳器１０８は、推移点の後に、推移点の前と同様の、情報信号を直流成分値に重畳するようにしてもよい。より具体的には、（ｉ）独自情報が「１」から「０」へ変化（反転）した場合、制御器１０７の制御下で、重畳器１０８は、推移点の前に所定量「α」を直流成分値に加算して、推移点の後にも同様に所定量「α」を直流成分値に加算するようにしてもよい。また、（ｉｉ）独自情報が「０」から「１」へ変化（反転）した場合、制御器１０７の制御下で、重畳器１０８は、推移点の前に情報信号を重畳しないで、推移点の後にも同様に情報信号を重畳しないようにしてもよい。
【０１５２】
他方、図１４（ｄ）に示されるように、直流成分値が減少している際、不連続に推移する推移点において、独自情報が「１」から「０」へ変化（反転）した場合、制御器１０７の制御下で、重畳器１０８は、推移点の前に所定量「α」を直流成分値から減算するようにしてもよいし、推移点の後に情報信号を重畳しないようにしてもよい。
【０１５３】
また、図１４（ｅ）に示されるように、直流成分値が減少している際、不連続に推移する推移点において、独自情報が「１」から「０」へ変化（反転）した場合、制御器１０７の制御下で、重畳器１０８は、推移点の前に所定量「α」を直流成分値から減算するようにしてもよいし、推移点の後に所定量「α」を直流成分値から減算するようにしてもよい。
【０１５４】
また、図１４（ｆ）に示されるように、直流成分値が減少している際の不連続に推移する推移点において、独自情報が変化した場合、制御器１０７の制御下で、重畳器１０８は、推移点の後に、推移点の前と同様の、情報信号を直流成分値から減算するようにしてもよい。より具体的には、（ｉ）独自情報が「１」から「０」へ変化（反転）した場合、制御器１０７の制御下で、重畳器１０８は、推移点の前に所定量「α」を直流成分値から減算して、推移点の後にも同様に所定量「α」を直流成分値から減算するようにしてもよい。また、（ｉｉ）独自情報が「０」から「１」へ変化（反転）した場合、制御器１０７の制御下で、重畳器１０８は、推移点の前に情報信号を重畳しないで、推移点の後にも同様に情報信号を重畳しないようにしてもよい。
【０１５５】
特に、上述した第３実施例は、本発明に係る情報抽出装置に適用可能である。即ち、上述した第１から第３変形例の重畳手法に対応される抽出手法（これら重畳手法と逆のアプローチの抽出手法）によって、独自情報を抽出してもよい。或いは、情報抽出装置によって取得された後、再生される段階において、上述した第１から第３変形例の重畳手法に対応される抽出手法によって、独自情報を抽出してもよい。
【０１５６】
本発明は、上述した実施例に限られるものではなく、請求の範囲及び明細書全体から読み取れる発明の要旨或いは思想に反しない範囲で適宜変更可能であり、そのような変更を伴なう情報多重装置及び方法、情報抽出装置及び方法、並びに、多重制御用、及び抽出制御用のコンピュータプログラムもまた本発明の技術的範囲に含まれるものである。
【図面の簡単な説明】
【０１５７】
【図１】本発明に係る情報多重装置及び情報抽出装置を用いたシステムの概念的な構成図である。
【図２】本発明に係る映像信号、第２周期で重畳される独自情報、及び伝送時間軸を図式的に示した概念図である。
【図３】本発明に係る独自情報が重畳される第２周期、及び第３周期の一具体例を図式的に示した概念図である。
【図４】本発明の情報多重装置に係る第１実施例に係る基本構成を示したブロック図である。
【図５】本発明の情報多重装置に係る実施例に係る動作原理を示したフローチャートである。
【図６】本発明に係る映像信号に含まれる直流成分値の時間的な推移を示したグラフ（上側部分）、及び本発明に係る情報多重装置によって、直流成分値に重畳される重畳量の時間的な変化を示したグラフ（下側部分）である。
【図７】本発明に係る情報多重装置によって、直流成分値が増加される場合において、第２周期の単位で重畳される重畳量の時間的な変化を示した図式的な模式図である。
【図８】本発明に係る情報多重装置によって、直流成分値が減少される場合において、第２周期の単位で重畳される重畳量の時間的な変化を示した図式的な模式図である。
【図９】本発明の情報多重装置によって、第２周期、又は第３周期の単位で、独自情報が重畳されることによって、基準画像（Ｉピクチャ）を有す映像信号に含まれる直流成分値の時間的な推移を示したグラフ（図９（ａ））、及び比較例に係る周期の単位で、独自情報が重畳されることによって、基準画像（Ｉピクチャ）を有す映像信号に含まれる直流成分値の時間的な推移を示したグラフ（図９（ｂ））である。
【図１０】本発明に係る第２周期の基準となる映画フィルムにおけるフレーム単位の周期と、例えばＤＶＤ−Ｖｉｄｅｏ規格に基づいたカムコーダーによって複製されたフレームにおける周期との比較を図式的に示した模式図である。
【図１１】本発明の情報多重装置に係る第２実施例によって、直流成分値が増加される場合において、第２周期、又は第３周期の単位で重畳される重畳量の時間的な変化を示した図式的な模式図である。
【図１２】本発明に係る映像信号に含まれる直流成分値の時間的な推移において、不連続に推移する推移点を示したグラフである。
【図１３】本発明に係る映像信号に含まれる直流成分値の時間的な推移において、不連続に推移する推移点において、オフセット量が加算された場合を示したグラフである。
【図１４】本発明に係る映像信号に含まれる直流成分値の時間的な推移において、不連続に推移する推移点において、所定規則に基づいて、情報信号が重畳された場合を示したグラフである。
【符号の説明】
【０１５８】
１０…映像信号、１０ａ…アナログ映像信号、１０ｄ…デジタル映像信号、２０…独自情報、１００…情報多重装置、１０１…Ａ／Ｄ変換器、１０２…フレームメモリ、１０３…平均ＤＣ演算器、１０４…比較器、１０５…ＶＢＩ検出器、１０６…生成器、１０７…制御器、１０８…重畳器、１０９…リミッタ、及び、１１０…ＭＰＥＧエンコーダ、２００…情報抽出装置
【図１】
2006166098.tif 000003
【図２】
2006166098.tif 000004
【図３】
2006166098.tif 000005
【図４】
2006166098.tif 000006
【図５】
2006166098.tif 000007
【図６】
2006166098.tif 000008
【図７】
2006166098.tif 000009
【図８】
2006166098.tif 000010
【図９】
2006166098.tif 000011
【図１０】
2006166098.tif 000012
【図１１】
2006166098.tif 000013
【図１２】
2006166098.tif 000014
【図１３】
2006166098.tif 000015
【図１４】
2006166098.tif 000016